(57)【要約】【課題】扱胴の回転軸や該回転軸を包囲する部材に巻き付こうとする藁を確実に掻き払うことができるように、当該扱胴の周縁に確実且つ効果的な藁掻き出し手段としてのスクレーパーを設ける。【解決手段】扱胴３の終端に形成した扱胴３の軸方向に凹む凹陥部３ｂの周縁３ｃと、扱胴３の回転軸（２）を軸支する後側板８に固着した皿状の藁侵入阻止体１８の周縁１８ｃとの嵌装部の隙間Ｓに、該隙間Ｓを扱胴３の径方向に略閉塞して扱胴３と共に回転するスクレーパー２１を設けた。【選択図】図３
2005269984.tif 000002
【特許請求の範囲】
【請求項１】
扱胴（３）の回転軸（２）を扱室（６）の前側板（７）と後側板（８）に軸支し、且つ前記扱胴（３）の終端に回転軸（２）の軸方向に凹む凹陥部（３ｂ）を形成すると共に、該凹陥部（３ｂ）に嵌装する皿状の藁侵入阻止体（１８）を後側板（８）に固着してなる脱穀装置において、前記凹陥部（３ｂ）の周縁（３ｃ）と藁侵入阻止体（１８）の周縁（１８ｃ）との嵌装部の隙間（Ｓ）に、扱胴（３）と共に回転するスクレーパー（２１）を設けたことを特徴とする脱穀装置。
【請求項２】
前記スクレーパー（２１）をＬ字状の曲げプレートで構成すると共に、藁侵入阻止体（１８）の周縁（１８ｃ）端部の立ち上がり部（１８ａ）とスクレーパー（２１）との干渉を回避すべく、当該スクレーパー（２１）に切欠き（Ｃ２）を設けたことを特徴とする請求項１記載の脱穀装置。
【発明の詳細な説明】
【技術分野】
【０００１】
本発明は、米麦等の穀稈を脱穀処理する扱胴を備える脱穀装置に関する。
【背景技術】
【０００２】
従来、コンバイン等に装備されている脱穀装置においては、前後に水平な回転軸を軸装した扱胴の外周を扱網等により同心状に包囲すると共に、扱胴の前後両側を垂直の壁で包囲して扱室を形成し、この扱室の前側に設けた穀稈供給口から穀稈を挿入して扱室内で脱穀処理した後、排藁となった穀稈が扱室の後側に設けた穀稈排出口から引き抜かれるようになっている。
【０００３】
そして、前記穀稈排出口側の扱胴の端縁部分には、回転軸や該回転軸を包囲する部材に
巻き付こうとする藁屑を取り除くために、扱胴と共に回転するスクレーパーを取り付けたものが知られている（例えば、特許文献１参照。）。
【特許文献１】実開昭５７−１５１３４号公報（第６−９頁、図３）
【発明の開示】
【発明が解決しようとする課題】
【０００４】
しかし、上述した従来のスクレーパーは、穀稈排出口側の扱胴の端縁部を内側に凹めて形成した凹陥部と、この凹陥部に嵌装する扱胴の後側の壁に固着した断面がコ字状の皿体
との間に形成される隙間に螺設してあり、前記凹陥部と皿体及びスクレーパーによって藁の巻き付き防止手段を構成しているが、当該スクレーパーを螺設する扱胴の凹陥部と皿体との嵌装部の隙間は閉塞されておらず、この隙間部分に藁が詰まって巻き付き易いことから藁巻き付き防止装置としての十分な効果が得られていなかった。
【課題を解決するための手段】
【０００５】
本発明は、上記課題を解決することを目的として創案したものであって、扱胴の回転軸を扱室の前側板と後側板に軸支し、且つ前記扱胴の終端に回転軸の軸方向に凹む凹陥部を形成すると共に、該凹陥部に嵌装する皿状の藁侵入阻止体を後側板に固着してなる脱穀装置において、前記凹陥部の周縁と藁侵入阻止体の周縁との嵌装部の隙間に、扱胴と共に回転するスクレーパーを設けたことを第１の特徴としている。
【０００６】
そして、前記スクレーパーをＬ字状の曲げプレートで構成すると共に、藁侵入阻止体の周縁端部の立ち上がり部とスクレーパーとの干渉を回避すべく、当該スクレーパーに切欠きを設けたことを第２の特徴としている。
【発明の効果】
【０００７】
請求項１の発明によれば、扱胴の終端に形成した回転軸の軸方向に凹む凹陥部の周縁と、前記扱胴の凹陥部に嵌装する扱室の後側板に固着してなる皿状の藁侵入阻止体の周縁との嵌装部の隙間に、扱胴と共に回転するスクレーパーを設けたことによって、前記凹陥部の周縁と藁侵入阻止体の周縁との嵌装部の隙間に詰まろうとする藁を確実に掻き出すことができるようになり、藁詰まりの発生が大幅に減少する。また、スクレーパーは、扱胴と共に回転するので効率的な藁の掻き出しがなされる。
【０００８】
また、請求項２の発明によれば、前記スクレーパーをＬ字状の曲げプレートで構成することによりコストの低減が図られ、しかも、藁侵入阻止体の周縁端部の立ち上がり部とスクレーパーとの干渉を回避すべく、当該スクレーパーに切欠きを設けたことによって、前記凹陥部の周縁と藁侵入阻止体の周縁との嵌装部の隙間における扱胴の径方向の閉塞率を減ずることなく、効率的に前記重合部に詰まろうとする藁を掻き払うことができる。
【発明を実施するための最良の形態】
【０００９】
本発明の実施の形態を図面に基づいて説明する。図１及び図２に示すように、コンバイン等に装備される脱穀装置１の内部には、前後に水平な回転軸２を円筒状の扱胴３に軸装すると共に、扱胴３の外周面３ａを、該扱胴３と同心状の半円弧に形成した扱網４と、扱胴３と同心状の半円弧に湾曲させた薄い鋼板５によって包囲している。
【００１０】
また、扱胴３の回転軸２を、前記鋼板５と一体形成した扱室６の前側板７と後側板８に軸支すると共に、扱室６の前側に設けた穀稈供給口９から穀稈を挿入して扱室６内で脱穀処理した後、排藁となった穀稈が扱室６の後側に設けた穀稈排出口１０から引き抜かれて図示しない排藁搬送装置に受け継がれるようになっている。
【００１１】
そして、扱室６の一側部に並設したフィードチェン１１を介して扱胴３の回転方向（図２の矢印参照）に沿う姿勢で穀稈の穂先側が扱室６に供給されると、前記穀稈供給口９と穀稈排出口１０とを連通する連通溝１２内を穀稈が進行しながら、扱胴３の外周面３ａに扱胴３の回転軸２に対し放射状に突設した複数の扱歯１３によって、穀稈の穂先側から穀粒が脱粒されるようになっている。
【００１２】
また、穀稈排出口１０側の扱胴３の終端には、扱胴３の回転軸２の軸方向に凹む凹陥部３ｂを形成してあり、この凹陥部３ｂに扱室６の後側板８に固着してなる皿状の藁侵入阻止体１８を嵌装すると共に、図１〜図３に示すように、前記扱胴３の周縁３ｃと藁侵入阻止体１８の周縁１８ｃとの嵌装部の隙間Ｓを扱胴３の径方向に略閉塞する藁掻き出し手段としてのスクレーパー２１を取り付けている。
【００１３】
前記スクレーパー２１は、扱胴３の回転軸２や該回転軸２を包囲する部材に巻き付こう
とする藁を掻き払うための藁掻き出し手段であって、その形状は図４に示すように、安価なＬ字状の曲げプレートで構成されており、その長辺２１ａに前後の取り付け位置調整用の切欠きＣ１を設けている。また、スクレーパー２１の短辺２１ｂによって、上述の扱胴３の周縁３ｃと藁侵入阻止体１８の周縁１８ｃとの嵌装部の隙間Ｓを略閉塞すると共に、藁侵入阻止体１８の周縁１８ｃ端部に形成した藁侵入阻止用の立ち上がり部１８ａと、スクレーパー２１の短辺２１ｂとの干渉を回避すべく、当該スクレーパー２１の短辺２１ｂに切欠きＣ２を設けている。尚、スクレーパー２１は、扱胴３の外周面３ａに突設する扱歯１３と共締め状態で、扱胴３の周縁３ｃの内側に容易に取り付けできるのでメンテナンス性に優れている。また、スクレーパーは、扱胴と共に回転するので効率的な藁の掻き出しがなされる。
【００１４】
上述した構成のスクレーパー２１によれば、扱胴３の終端に形成した凹陥部３ｂの周縁３ｃと藁侵入阻止体１８の周縁１８ｃとの嵌装部の隙間Ｓを扱胴３の径方向に略閉塞することができるので、当該スクレーパー２１により前記隙間Ｓに詰まろうとする藁を確実に掻き払えるようになって藁詰まりの発生は大幅に減少する。また、スクレーパー２１をＬ字状の曲げプレートで構成することによりコストの低減が図られ、しかも、藁侵入阻止体１８の周縁１８ｃ端部に形成した藁侵入阻止用の立ち上がり部１８ａとスクレーパー２１との干渉を回避すべく、当該スクレーパーに切欠きＣ２を設けたことによって、前記凹陥部３ｂの周縁３ｃと藁侵入阻止体１８の周縁１８ｃとの嵌装部の隙間Ｓにおける扱胴３の径方向の閉塞率を減ずることなく、効率的に前記隙間Ｓに詰まろうとする藁を掻き払うことができるようになる。
【図面の簡単な説明】
【００１５】
【図１】脱穀装置の側断面図。
【図２】脱穀装置の縦断面図。
【図３】巻き付き防止手段を示す要部側断面図。
【図４】スクレーパーの斜視図。
【符号の説明】
【００１６】
２      回転軸
３      扱胴
３ｂ    凹陥部
３ｃ    終端縁
６      扱室  
７      前側板
８      後側板
１８    藁侵入阻止体
１８ｃ  周縁
１８ａ  立ち上がり部
２１  スクレーパー
Ｃ２  切欠き
Ｓ    隙間
【図１】
2005269984.tif 000003
【図２】
2005269984.tif 000004
【図３】
2005269984.tif 000005
【図４】
2005269984.tif 000006